(57)【要約】【課題】  芳香剤容器を具えたマッサージ器構造を提供する。【解決手段】  主にマッサージ器本体１と容器２を具え、該マッサージ器本体１内に電動モータを設け、マッサージ器本体１外側に装着部１１を設け、該容器底部を装着部１１内に固定嵌合し、容器２内部に少なくとも一つのロッド２２を設置し、容器開口部に蓋２１を結合し、該蓋２１に複数の通気孔２１０を設け、本考案の実施時は、容器２の内部に芳香剤顆粒３を装入し、蓋２１を係合し、モータが回転してマッサージ器１本体が振動すると容器がそれにつれて振動し、芳香剤顆粒３が容器内部で振動・摩擦・衝突し、更にロッド２２で芳香剤顆粒３を攪拌して、芳香剤顆粒の摩擦・衝突を増加して芳香剤顆粒の芳香気体産出を加速し、該芳香気体が蓋２１の通気孔２１０から外へ放散するようにして、本考案が振動マッサージと芳香気体放散の機能を兼ね備えて、身体と心理の同時リラックス効果が得られるようにする。【選択図】  図１
0003109594.tif 000002
【実用新案登録請求の範囲】
【請求項１】
芳香剤容器を具えたマッサージ器構造において、主にマッサージ器本体と容器を具え、
該マッサージ器本体内に電動モータを設け、電動モータは電気的にスイッチに接続し、マッサージ器本体の外側に装着部を設け、
該容器に中空の収納部を設け、容器底部をマッサージ器本体の装着部中に対応して固定嵌合するようにし、容器開口部に蓋を取りつけ、該蓋に複数個の通気孔を設け、
実施時には容器の収納部内に芳香剤顆粒を装入し、蓋を容器開口部に係合し、電動モータが回転すると、マッサージ器本体が振動して容器がそれにつれて振動し、芳香剤顆粒が容器の収納部内で振動・摩擦・衝突して、芳香剤顆粒が芳香気体を発生するのを加速し、蓋の通気孔から外へ放散するようにして成ることを特徴とする芳香剤容器を具えたマッサージ器構造。
【請求項２】
該容器の収納部内に少なくとも一つのロッドを設置し、
該ロッドで芳香剤顆粒を攪拌することによって芳香剤顆粒の摩擦・衝突の頻度を増加させて、芳香剤顆粒が芳香気体を発生するのを加速するようにして成ることを特徴とする請求項１記載の芳香剤容器を具えたマッサージ器構造。
【請求項３】
該容器開口部に少なくとも一個の枢着ピンを設け、開口部側辺に係合溝を設け、
該蓋側辺に少なくとも一個の枢着孔を設け、該枢着孔を容器の枢着ピンに対応させて枢着し、蓋の側辺に係合片を設け、係合片を容器の係合溝に対応させ、
蓋を係合するときには、該係合片は圧迫されて当接し弾力を生じ容器の係合溝内に嵌入するようにして成ることを特徴とする請求項１記載の芳香剤容器を具えたマッサージ器構造。
【請求項４】
該蓋は内蓋を摺動可能に結合し、
蓋に長形の開孔を設け、蓋の内面に中空の結合柱を設け、該内蓋に複数の通気孔を設け、通気孔を蓋の通気孔と同じになるよう対応させ、内蓋にピンを設け、該ピンは蓋の開孔に貫通し、内蓋の中に結合する通孔を設け、
組立て時には、ネジをコイルバネ、内蓋の通孔に通して蓋の結合柱に装着固定し、該コイルバネの弾性によって内蓋を蓋の内面に弾接させ、内蓋と蓋が緊密に接触するようにし、内蓋のピンを動かして内蓋がネジを軸に回転できるようにして成ることを特徴とする請求項１記載の芳香剤容器を具えたマッサージ器構造。
【考案の詳細な説明】
【技術分野】
【０００１】
本考案は芳香剤容器を具えたマッサージ器構造に関し、特に電動マッサージ器本体の外側に容器を装着して、容器内に芳香剤顆粒を装入し、電動マッサージ器本体の振動で容器を振動させ、容器内の芳香剤顆粒が芳香気体を発生するのを加速し、外に放散するようにし、マッサージ器の身体マッサージと香りのリラックスの二重効果をもつ芳香剤容器を具えたマッサージ器構造に関する。
【背景技術】
【０００２】
公知の各種電動マッサージ器の原理は、人体のマッサージ器に接触した部位とその付近の筋肉を振動、摩擦させて、該部位の筋骨をほぐすことによって、人体筋肉の疲労、緊張を解消させる効果を得るものである。しかしその欠点として、（１）電動マッサージ器は接触部分とその付近の筋骨にしか、マッサージ効果で疲労を解消し筋肉をリラックスさせる作用を生じることができず、（２）電動マッサージ器は使用者の心理、精神上のリラックスは得られない。
よって公知電動マッサージ器を改良して、従来の接触マッサージ機能のほかに更に心理上のリラックス機能を得られれば、電動マッサージ器の使用者には喜ばしいことである。
【特許文献１】特開平８−２０６１７３号公報
【考案の開示】
【考案が解決しようとする課題】
【０００３】
本考案は芳香剤容器を具えたマッサージ器構造を提供し、公知の電動マッサージ器では心理・精神のリラックスを提供できない欠点を改善し、電動マッサージ器が香りを放散する機能を具えるようにして、人体を直接マッサージして筋骨の凝りや疲労を解消すると同時に適した香りを放散して、使用者が心理・精神面でリラックスできるようにして、身体と精神のストレス解消効果を具えるようにすることを課題とする。
【課題を解決するための手段】
【０００４】
本考案が提供する芳香剤容器を具えたマッサージ器構造は主に、マッサージ器本体と容器を具え、該マッサージ器本体内に電動モータを設け、マッサージ器本体外側に装着部を設け、該容器底部を装着部内に固定嵌合し、容器内部に少なくとも一つのロッドを設置し、容器開口部に蓋を係合設置し、該蓋に複数個の通気孔を設ける。本考案の実施においては、容器の内部に芳香剤顆粒を装入し、蓋を係合し、モータが回転してマッサージ器本体が振動すると、容器がこれにつれて振動し、芳香剤顆粒が容器内部で振動・摩擦・衝突し、更にロッドで芳香剤顆粒を攪拌して芳香剤顆粒の摩擦・衝突を増加することによって、芳香剤顆粒が芳香気体を発生するのを加速し、該芳香気体を蓋の通気孔から外へ放散する。
すなわち、本考案の芳香剤容器を具えたマッサージ器構造は請求項１のように、マッサージ器本体と容器を具え、
該マッサージ器本体内に電動モータを設け、電動モータは電気的にスイッチに接続し、マッサージ器本体の外側に装着部を設け、
該容器に中空の収納部を設け、容器底部をマッサージ器本体の装着部中に対応して固定嵌合するようにし、容器開口部に蓋を取りつけ、該蓋に複数個の通気孔を設け、
実施時には容器の収納部内に芳香剤顆粒を装入し、蓋を容器開口部に係合し、電動モータが回転すると、マッサージ器本体が振動して容器がそれにつれて振動し、芳香剤顆粒が容器の収納部内で振動・摩擦・衝突して、芳香剤顆粒が芳香気体を発生するのを加速し、蓋の通気孔から外へ放散するようにして成ることを特徴とする。
請求項２に記載するように、該容器の収納部内に少なくとも一つのロッドを設置し、
該ロッドで芳香剤顆粒を攪拌することによって芳香剤顆粒の摩擦・衝突の頻度を増加させて、芳香剤顆粒が芳香気体を発生するのを加速するようにして成ることを特徴とする。
請求項３に記載するように、該容器開口部に少なくとも一個の枢着ピンを設け、開口部側辺に係合溝を設け、
該蓋側辺に少なくとも一個の枢着孔を設け、該枢着孔を容器の枢着ピンに対応させて枢着し、蓋の側辺に係合片を設け、係合片を容器の係合溝に対応させ、
蓋を係合するときには、該係合片は圧迫されて当接し弾力を生じ容器の係合溝内に嵌入するようにして成ることを特徴とする。
請求項４に記載するように、該蓋は内蓋を摺動可能に結合し、
蓋に長形の開孔を設け、蓋の内面に中空の結合柱を設け、該内蓋に複数の通気孔を設け、通気孔を蓋の通気孔と同じになるよう対応させ、内蓋にピンを設け、該ピンは蓋の開孔に貫通し、内蓋の中に結合する通孔を設け、
組立て時には、ネジをコイルバネ、内蓋の通孔に通して蓋の結合柱に装着固定し、該コイルバネの弾性によって内蓋を蓋の内面に弾接させ、内蓋と蓋が緊密に接触するようにし、内蓋のピンを動かして内蓋がネジを軸に回転できるようにして成ることを特徴とする。
【考案の効果】
【０００５】
本考案が提供する芳香剤容器を具えたマッサージ器構造は、振動マッサージと芳香気体を放散する機能を兼ね備えて、身体と心理の同時リラックス効果が達成される。
【考案を実施するための最良の形態】
【０００６】
図１、図２に示すように、本考案の実施例の立体分解図と実装図で、本考案の芳香剤容器を具えたマッサージ器構造は主に、マッサージ器本体１と容器２を具える。
該マッサージ器本体１内に電動モータ（図中未表示）を設け、電動モータをスイッチ１０に電気的に接続し、マッサージ器本体１の外側に装着部１１を設ける。
該容器２に中空の収納部２０を設け、容器２の底部をマッサージ器本体１の装着部１１内に対応させて固定嵌合する。本実施例では、容器２の収納部２０内部に少なくとも一つのロッド２２を設置する。容器２の開口部に少なくとも一個の枢着ピン２３を設置し、開口部側辺に係合溝２４を設ける。容器２に蓋２１を結合し、該蓋２１に複数個の通気孔２１０を設け、蓋２１の側辺に少なくとも一個の枢着孔２１１を設け、該枢着孔２１１を容器２の開口部の枢着ピン２３に対応させて枢着し、該蓋２１の側辺に係合片２１２を設け、係合片２１２を容器２開口部の係合溝２４に対応させ、該係合片２１２は弾性を具えて、係合片２１２が圧迫されて当接すると弾力を生じて容器２開口部の係合溝２４内に嵌合するようにする。
【０００７】
実施時は、容器２の収納部２０内に適量の芳香剤顆粒３を装入し、蓋２１を係合するときは、該係合片２１２が圧迫されて当接して弾力を生じ容器２の係合溝２４内に嵌合して固定される。スイッチ１０を導通して電動モータが回転するとマッサージ器本体は振動を生じ、容器２を振動させ、芳香剤顆粒３が容器２の収納部２０内で振動・摩擦・衝突し、ロッド２２で芳香剤顆粒３を攪拌することによって、芳香剤顆粒３の摩擦・衝突の頻度を増加して、芳香剤顆粒３の芳香気体発生を加速させ、該芳香気体は蓋２１の通気孔２１０から外へ放散し、図３に示すように、本考案が振動マッサージと芳香気体放散の機能を兼ね備えるようにする。
【０００８】
また、図１、図３に示すように、本実施例では蓋２１に内蓋２１５を摺動可能に結合する。蓋２１に長形の開孔２１３を設け、蓋２１の内面に中空の結合柱２１４を設け、該内蓋２１５に複数の通気孔２１６を設け、通気孔２１６を蓋２１の通気孔２１０に対応させて同じにし、内蓋２１５にピン２１７を設け、該ピン２１７は蓋２１の開孔２１５を貫通し、内蓋２１５に結合する通孔２１５０を設ける。
結合するときは、ネジ２１８をコイルバネ２１９、内蓋２１５の通孔２１５０に通して蓋２１の結合柱２１４に装着固定する。
該コイルバネ２１９の弾力によって、内蓋２１５は蓋２１の内面に弾接し、内蓋２１５と蓋２１は緊密に接触する。内蓋２１５のピン２１７を移動すると、内蓋２１５がネジ２１８を軸に回転する。
【０００９】
内蓋２１５の通気孔２１６と蓋２１の通気孔２１０の位置が同じ時、容器２の収納部２０内の芳香剤顆粒３の芳香気体は蓋２１の通気孔２１０から外へ放散し、内蓋２１５の通気孔２１６と蓋２１の通気孔２１０の位置がずれている時、該内蓋２１５は蓋２１の通気孔２１０を閉じてしまい、芳香剤顆粒３の芳香気体は容器２の収納部２０内部に遮断されて、蓋２１の通気孔２１０から外へ放散されない。使用者は内蓋２１５を回転させることによって芳香剤顆粒３の芳香気体を放散させるか否か決定することができる。
【図面の簡単な説明】
【００１０】
【図１】本考案の実施例の立体分解見取り図である。
【図２】本考案の実施例の立体実装見取り図である。
【図３】本考案の実施例の容器の断面図である。
【符号の説明】
【００１１】
１        マッサージ器本体
１０      スイッチ
１１      装着部
２        容器
２０      収納部
２１      蓋
２１０    通気孔
２１１    枢着孔
２１２    係合片
２１３    開孔
２１４    結合柱
２１５    内蓋
２１５０  通孔
２１６    通気孔
２１７    ピン
２１８    ネジ
２１９    コイルバネ
２２      ロッド
２３      枢着ピン
２４      係合溝
３        芳香剤顆粒
【図１】
0003109594.tif 000003
【図２】
0003109594.tif 000004
【図３】
0003109594.tif 000005